Podtech/llm-jp-corpus-v4-ja_patent huggingface dataset:
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
遊技機に識別情報が記憶された識別手段を備え、その識別情報を読み取ることでその遊技機に対する不正を監視する不正監視システムであって、
非接触状態で前記識別情報を読み取る情報読取手段を備えるとともに、その情報読取手段を対応する遊技機の識別情報の読み取りが可能な位置に設置し、
さらに、連続的又は断続的に前記識別情報の読み取りを行うよう前記情報読取手段を読取制御する読取制御手段と、
前記情報読取手段が読み取った識別情報、又はそれに対応した対応情報を収集する情報収集手段と、
その読取制御が実行された情報読取手段から前記情報収集手段が前記情報を収集したか否かを判定する判定手段と、
当該判定手段により前記情報が収集されていないと判定された場合に、異常処理を実行する異常処理実行手段と
を備えたことを特徴とする不正監視システム。
【請求項２】
遊技機本体に対して開閉自在に支持された開閉体を備え、
前記識別手段は、前記開閉体の開放先端側に備えられており、
前記情報読取手段は、前記開閉体が閉鎖されている場合には前記識別情報を読み取ることができるよう設定されており、前記開閉体が開放されている場合に前記識別情報を読み取ることができないよう設定されていることを特徴とする請求項１に記載の不正監視システム。
【請求項３】
前記開閉体は、遊技機本体に対してそれぞれの開閉体が重なるようにして複数備えられており、
前記識別手段は、前記複数の開閉体のうち最も外側の開閉体に備えられていることを特徴とする請求項２に記載の不正監視システム。
【請求項４】
前記遊技機は、前記識別手段として、当該遊技機の制御装置に設けられた第１識別手段と、当該制御装置とは別の制御装置、又は遊技媒体の付与に関連した媒体付与関連装置に設けられた第２識別手段とを備え、
前記情報読取手段は、前記遊技機から前記第１識別手段及び前記第２識別手段の両方の識別情報を読み取ることを特徴とする請求項１乃至３のいずれか１に記載の不正監視システム。
【請求項５】
前記第１識別手段に記憶された第１識別情報と、前記第２識別手段に記憶された第２識別情報とを、同一の特定情報を有するように設定し、
前記判定手段は、前記情報収集手段が前記遊技機に関して前記特定情報を有する２つの識別情報、又はそれに対応した情報を収集したか否かを判定することを特徴とする請求項４に記載の不正監視システム。
【請求項６】
前記読取制御手段は、予め定められた特定周期で前記情報読取手段に対して前記読取制御を実行することを特徴とする請求項１乃至５のいずれか１に記載の不正監視システム。
【請求項７】
前記読取制御手段は、常に前記情報読取手段に対して前記読取制御を実行することを特徴とする請求項１乃至５のいずれか１に記載の不正監視システム。
【請求項８】
前記遊技機は、遊技球が流下する遊技領域と、当該遊技領域に向けて遊技球を発射する遊技球発射手段と、当該遊技球発射手段による遊技球の発射を実行させるべく操作される発射操作手段とを備え、
前記情報読取手段は、前記識別情報を呼び出す呼出波を出力する呼出波出力手段と、前記識別手段からの応答波を入力する応答波入力手段とを備え、
前記読取制御手段は、前記発射操作手段が操作されている前記遊技機に対応した情報読取手段に対して読取制御を行わないようにする手段を備えたことを特徴とする請求項１乃至７のいずれか１に記載の不正監視システム。
【請求項９】
前記遊技機は、絵柄を可変表示する絵柄表示手段と、前記絵柄の可変表示を開始させるべく操作される始動操作手段と、前記絵柄の可変表示を停止させるべく操作される停止操作手段とを備え、
前記情報読取手段は、前記識別情報を呼び出す呼出波を出力する呼出波出力手段と、前記識別手段からの応答波を入力する応答波入力手段とを備え、
前記読取制御手段は、前記始動操作手段が操作され前記絵柄の可変表示が行われている前記遊技機に対応した情報読取手段に対して読取制御を行わないようにする手段を備えたことを特徴とする請求項１乃至７のいずれか１に記載の不正監視システム。
【請求項１０】
前記遊技機への電力供給が遮断されている場合であっても、前記情報読取手段に動作電力を供給する動作電力供給手段を備えたことを特徴とする請求項１乃至９のいずれか１に記載の不正監視システム。
【請求項１１】
前記動作電力供給手段は、前記遊技機が設置された遊技ホールを管理する管理端末装置であり、
前記情報読取手段は、前記管理端末装置に設けられていることを特徴とする請求項１０に記載の不正監視システム。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
パチンコ台の下皿の下方にホッパを設け、
下皿から排出される玉をホッパで受けて通路ユニットへ移送するようにした貯留玉受皿において、
前記ホッパは、
前記通路ユニットに連通するガイド部と、
下皿から排出される玉を受ける貯留部と、を有し、
貯留部は、当該貯留部を、
玉を貯留する貯留位置と、玉をガイド部へ移動する非貯留位置と、
の間で移動可能な移動手段を備えていることを特徴とする貯留玉受皿。
【請求項２】
前記貯留部は、
貯留空間の底面をなす可動プレートを有し、
前記移動手段は、
前記可動プレートを、前記貯留位置として降下位置と、
前記非貯留位置として上昇位置と、
の間を上下させる上下昇降装置であることを特徴とする請求項１に記載の貯留玉受皿。
【請求項３】
前記移動手段には、
パチンコ台の前面側から操作可能な操作手段を付設してあることを特徴とする請求項１または２に記載の貯留玉受皿。
【請求項４】
前記移動手段は、前記非貯留位置において当該非貯留位置を保持する位置保持手段を有
することを特徴とする請求項１から３のいずれか１に記載の貯留玉受皿。
【手続補正２】
【補正対象書類名】明細書
【補正対象項目名】０００６
【補正方法】変更
【補正の内容】
【０００６】
このため、本発明にかかる貯留玉受皿は、ホッパが、通路ユニットに連通するガイド部
と、下皿から排出される玉を受ける貯留部と、を有し、貯留部は、当該貯留部を、玉を貯留する貯留位置と、玉をガイド部へ移動する非貯留位置と、の間で移動可能な移動手段を備えているものとした。
【手続補正３】
【補正対象書類名】明細書
【補正対象項目名】０００７
【補正方法】変更
【補正の内容】
【０００７】
貯留部は、貯留空間の底面をなす可動プレートを有し、移動手段としては、可動プレー
トを、貯留位置として降下位置と、非貯留位置として上昇位置と、の間を上下させる上下昇降装置とするのが好ましい。
また、移動手段にはパチンコ台の前面側から操作可能な操作手段を付設するのがよい。
さらに、移動手段は、上記非貯留位置において当該非貯留位置を保持する位置保持手段
を有することが望ましい。
【手続補正４】
【補正対象書類名】明細書
【補正対象項目名】０００８
【補正方法】変更
【補正の内容】
【０００８】
本発明によれば、貯留部が玉を貯留する貯留位置と、玉をガイド部へ移動する非貯留位置と、の間で移動可能であるから、貯留部を貯留位置とすることにより下皿に加えてホッパの貯留部にも相当量の玉を貯留して、当り玉を誇示したいという欲求を満足させることができるとともに、必要に応じて当り玉を計数したいときなどには、貯留部を非貯留位置とすることにより速やかに貯留部内の玉をガイド部から通路ユニットへ送り込むことができる。
【手続補正５】
【補正対象書類名】明細書
【補正対象項目名】０００９
【補正方法】変更
【補正の内容】
【０００９】
また、貯留部が可動プレートを有し、移動手段として可動プレートを上下させる上下昇降装置を用いた場合には、可動プレートの上下により容易に貯留部の容量を大きく変化させることができ、可動プレートを降下位置にしたときにとくに多量の玉を貯留することができる。
さらに、移動手段にパチンコ台の前面側から操作可能な操作手段を付設すれば、遊技中のパチンコ台に向かったままで貯留部を貯留位置あるいは非貯留位置に移動させることができる。
さらにまた、非貯留位置を保持する位置保持手段を有する場合には、玉を通路ユニットへ送り込む間でも、遊技客が非貯留位置の保持操作を続ける必要から解放される。
【手続補正６】
【補正対象書類名】明細書
【補正対象項目名】００３５
【補正方法】変更
【補正の内容】
【００３５】
上下昇降装置５０はとくに貯留部２０の底面をなす可動プレート３０を上下移動させるので、容易に貯留部２０の容量を大きく変化させることができ、可動プレート３０を降下位置にしたときにとくに多量の玉を貯留することができる。
また、上下昇降装置５０には、そのリンクアームＥに結合されてケース５を貫通するジョイントレバー７６の先端につまみ７８を設けて、パチンコ台の前面側から操作可能となっているので、貯留部２０の上下移動操作が容易である。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
発射ハンドルの回動操作によって遊技球を発射する発射装置と、前記発射装置の動作を制御する発射制御装置と、を備える遊技機において、
前記発射ハンドルは、前記遊技機に連結するベース部と、前記ベース部と隙間を挟んで対峙し、前記ベース部に回動可能な回動部とを有し、
前記ベース部は、
当該ベース部のうち前記隙間を挟んで前記回動部と対峙する部分の表面に設けられた発光源と、
導電性を有するベース側導電部が形成されるとともに前記発光源の光を反射させる反射部と、を有し、
前記回動部は、前記回動部のうち前記隙間を挟んで前記ベース部と対峙する部分の表面を導電性とする回動側導電部を有し、
さらに、前記遊技機は、前記ベース側導電部と前記回動側導電部とが通電したことを検出する導電検出部を有し、
前記導電検出部が、前記ベース側導電部と前記回動側導電部とが通電していることを検出した場合に、前記発射制御装置は、前記発射装置による遊技球の発射を停止することを特徴とする遊技機。
【請求項２】
前記ベース側導電部と接続された第１回路素子と、前記回動側導電部と接続された第２回路素子と、を有し、
前記ベース側導電部と前記回動側導電部とが通電した場合に、前記第１回路素子と前記第２回路素子とが接続され、
前記第１回路素子又は前記第２回路素子には所定の電圧が印加されており、
前記導電検出部は、前記第１回路素子又は前記第２回路素子の一端の電圧の変化によって、前記ベース側導電部と前記回動側導電部との通電を検出することを特徴とする請求項１に記載の遊技機。
【請求項３】
前記第１回路素子は第１コンデンサであり、前記第２回路素子は第２コンデンサであり、
前記ベース側導電部と前記回動側導電部との通電を検出した場合に、前記ベース部と前記回動部との隙間に挟まれる導電性部材を介して、前記第１コンデンサと前記第２コンデンサとが接続されるように、前記第１コンデンサと前記第２コンデンサとが配置されており、
前記導電検出部は、前記第１コンデンサと前記第２コンデンサとの合成容量の増加によって、前記検出される電圧が変化した場合に、前記ベース側導電部と前記回動側導電部との通電を検出することを特徴とする請求項２に記載の遊技機。
【請求項４】
前記遊技機は、遊技者が前記発射ハンドルに触れたことを検出するタッチセンサを有し、
前記発射制御装置は、前記タッチセンサによって遊技者が前記発射ハンドルに触れたことを検出された場合に、前記発射装置の発射を許容し、
前記回動部は、前記回動側導電部を露出させることにより、前記タッチセンサのタッチ電極とすることを特徴とする請求項３に記載の遊技機。
【手続補正２】
【補正対象書類名】明細書
【補正対象項目名】０００６
【補正方法】変更
【補正の内容】
【０００６】
第１の発明は、発射ハンドルの回動操作によって遊技球を発射する発射装置と、前記発射装置の動作を制御する発射制御装置と、を備える遊技機において、前記発射ハンドルは、前記遊技機に連結するベース部と、前記ベース部と隙間を挟んで対峙し、前記ベース部に回動可能な回動部とを有し、前記ベース部は、当該ベース部のうち前記隙間を挟んで前記回動部と対峙する部分の表面に設けられた発光源と、導電性を有するベース側導電部が形成されるとともに前記発光源の光を反射させる反射部と、を有し、前記回動部は、前記回動部のうち前記隙間を挟んで前記ベース部と対峙する部分の表面を導電性とする回動側導電部を有し、さらに、前記遊技機は、前記ベース側導電部と前記回動側導電部とが通電したことを検出する導電検出部を有し、前記導電検出部が、前記ベース側導電部と前記回動側導電部とが通電していることを検出した場合に、前記発射制御装置は、前記発射装置による遊技球の発射を停止することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
第１〜第３の発明によれば、導電検出部が、ベース側導電部と回動側導電部とが通電していることを検出した場合に、発射制御装置は、発射装置による遊技球の発射を停止するので、遊技者が発射ハンドルの回動部とベース部との隙間へのコイン等の挿入による不正を検出でき、不正遊技の続行を防止できる。
さらに、ベース部が反射部を有するので、発光源の光を反射でき、発射ハンドルの装飾性が向上する。また、反射部をベース側導電部として利用できるので、わざわざベース側導電部を設けなくてもよいため、製造コストを削減できる。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００７９
【補正方法】変更
【補正の内容】
【００７９】
これによると、わざわざ導電性材料を新たに設ける必要はなく、反射部材２５４に施していたメッキ処理を前記隙間に対峙する部分の表面にも施すだけなので、製造コストが削減できる。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
複数種類の装飾図柄を変動表示する液晶表示器と、該液晶表示器の表示領域を臨ませる第１開口部が形成されて遊技盤のほぼ中央に取り付けられるセンターユニットと、該センターユニットに形成される前記第１開口部と対応する位置であって当該センターユニットの後方に前記液晶表示器の表示領域を臨ませる第２開口部が当該第１開口部とほぼ同一の大きさに形成されて前記遊技盤に取り付けられる演出ユニットと、前記遊技盤に取り付けられる始動入賞口に遊技球が入球したことに基づいて遊技の進行を制御する主制御基板と、該主制御基板からのコマンドに基づいて前記液晶表示器及び前記演出ユニットを制御する副制御基板と、を備えるパチンコ遊技機であって、
前記液晶表示器は、少なくとも、
前記演出ユニットに形成される前記第２開口部のほぼ中央と対応する位置であって、当該液晶表示器の表示領域に、前記複数種類の装飾図柄を変動表示する複数の変動表示領域
が形成され、
前記演出ユニットは、少なくとも、
円形環状の円盤の片側側面にリングギアが形成されるギアベースに円形環状のリールベースが取り付けられるギアモジュールと、
該ギアモジュールを回転可能に前記円盤の外周を支持する複数のガイドローラと、
該複数のガイドローラをそれぞれ軸支するローラピンと、
駆動ギアが出力軸に取り付けられる駆動モータと、
該駆動モータの出力軸に取り付けられる前記駆動ギアの回転を前記円盤の片側側面に形成される前記リングギアに伝達するギア機構と、
を備え、
前記ギアモジュールは、少なくとも、
前記リールベースの円形環状の内側に配置される演出部材と、
該演出部材を前記リールベースの円形環状の内側から外側に向かって前記演出ユニットに形成される前記第２開口部に押し当てるアーム機構と、
を備え、
前記副制御基板は、少なくとも、
前記複数種類の装飾図柄を変動表示させるコマンドを前記主制御基板から受信すると、前記液晶表示器の表示領域に形成される前記複数の変動表示領域に、該受信したコマンドに対応する当該複数種類の装飾図柄をそれぞれ変動表示する変動表示制御手段と、
前記複数のガイドローラに支持されて前記ギアモジュールを回転させるコマンドを前記主制御基板から受信すると、前記駆動モータに駆動信号を出力する駆動信号出力制御手段と、
を備え、
前記演出部材は、前記変動表示制御手段が前記液晶表示器の表示領域に形成される前記複数の変動表示領域に前記複数種類の装飾図柄をそれぞれ変動表示するとともに前記駆動信号出力制御手段が前記駆動モータに前記駆動信号を出力するときであって、当該駆動モータの出力軸に取り付けられる前記駆動ギアの回転が前記ギア機構を介して前記リングギアに伝達されて前記ギアモジュールが前記複数のガイドローラに支持されて回転すると、当該ギアモジュールの前記アーム機構によって前記リールベースの円形環状の内側から外側に向かって前記演出ユニットに形成される前記第２開口部に押し当てられる状態で当該第２開口部の外周に沿って少なくとも１回転可動することを特徴とするパチンコ遊技機。
【請求項２】
請求項１に記載のパチンコ遊技機であって、
前記副制御基板は、さらに、
前記演出部材が前記演出ユニットに形成される前記第２開口部に沿って可動した位置と対応する位置に、前記液晶表示器の表示領域に当該演出部材が可動した痕跡を表示する痕跡表示制御手段
を備えていることを特徴とするパチンコ遊技機。
【請求項３】
請求項１又は２に記載のパチンコ遊技機であって、
前記センターユニットは、少なくとも、
当該センターユニットに形成される前記第１開口部の外周縁の所定箇所に、当該第１開口部の内側に向かって突出した突出部
が形成され、
前記演出部材は、前記突出部の後方で待機することによって当該パチンコ遊技を正面から見て視認困難となっていることを特徴とするパチンコ遊技機。
【手続補正２】
【補正対象書類名】明細書
【補正対象項目名】００２１
【補正方法】変更
【補正の内容】
【００２１】
本発明の請求項１においては、センターユニットに形成される第１開口部のほぼ中央に複数図柄の装飾図柄を変動表示する複数の変動表示領域を集めても、センターユニットに形成される第１開口部の外形近傍に沿って可動する演出部材で遊技に寄与することができる。請求項２においては、遊技者の視線を、可動する演出部材だけでなく、演出部材が可動した痕跡にも向けることができる。請求項３においては、複数種類の装飾図柄がそれぞれ変動表示されている演出に、迫力ある演出部材による演出を加えることができる。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
遊技結果に応じて遊技球を払い出す払出手段と、
前記払出手段から払い出された遊技球を貯留する球受け皿と、
前記遊技球を前記球受け皿に案内する案内通路と、
前記案内通路における遊技球が流れ落ちる状態を検出する流下状態検出手段と、
前記球受け皿に貯留されている遊技球を該球受け皿から排出させるべく遊技者により排出操作が行なわれる排出操作手段と、
前記排出操作手段の操作状態を検出する操作状態検出手段と
を備えたことを特徴とする遊技機。
【請求項２】
あらかじめ定められた特定情報を報知する報知手段と、
前記球受け皿、又は前記案内通路にて遊技球を検出する遊技球検出手段と、
前記遊技球検出手段の検出結果に基づいて、前記球受け皿又は前記案内通路における特定位置まで遊技球が貯留されているか否かを判定する貯留判定手段と、
前記特定位置まで遊技球が貯留されていると前記貯留判定手段により判定され、且つ前記排出操作手段に対する前記排出操作が行われていない場合に、前記報知手段による報知を実行させる報知制御手段と
を備えたことを特徴とする請求項１に記載の遊技機。
【請求項３】
前記報知制御手段は、前記排出操作手段に対する前記排出操作が行われている場合に、前記報知手段による報知の実行を停止させることを特徴とする請求項２に記載の遊技機。
【請求項４】
前記排出操作手段に対する前記排出操作が継続して行われている継続期間が特定期間に達したか否かを判定する特定期間判定手段と、
前記継続期間が前記特定期間に達していると前記特定期間判定手段により判定され、且つ前記特定位置まで遊技球が貯留されていると前記貯留判定手段により判定された場合に、前記特定情報を異常情報に設定する異常情報設定手段と
を備えたことを特徴とする請求項２又は３に記載の遊技機。
【請求項５】
前記払出手段から払い出させる遊技球の払出数を遊技結果に応じて所定数に設定するとともに、該所定数を記憶する払出設定手段と、
前記払出手段に前記所定数の遊技球を払い出させる払出制御手段と、
前記特定位置まで遊技球が貯留されていると前記貯留判定手段により判定された場合に前記払出手段による遊技球の払い出しを不許可とする払出不許可手段と、
前記特定位置まで遊技球が貯留されていないと前記貯留判定手段により判定された場合に前記払出手段による遊技球の払い出しを許可する払出許可手段と
を備えたことを特徴とする請求項２乃至４のいずれか１に記載の遊技機。
【請求項６】
通常遊技状態、又は該通常遊技状態よりも遊技者に有利な特別遊技状態に移行させる移行手段と、
入力された情報の集計を行う管理装置に対して、前記特別遊技状態にある期間を示す信号を出力する期間信号出力手段と、
前記払出装置から払い出された遊技球を検出する遊技球検出手段と、
前記管理装置に対して、前記遊技球検出手段により検出された遊技球の払い出しに関する情報を出力する払出情報出力手段と
を備えたことを特徴とする請求項５に記載の遊技機。
【請求項７】
遊技機前面部を構成する遊技機前面体を備え、
前記球受け皿は、該球受け皿における遊技球の貯留状態が遊技機前面側から視認可能となるように前記遊技機前面体の前面側に設けられ、
前記排出操作手段は、遊技機前面側からの排出操作の実行が可能となるように前記遊技機前面体の前面側に設けられたことを特徴とする請求項１乃至４のいずれか１に記載の遊技機。
【請求項８】
前記排出操作手段は前記球受け皿の前面側に設けられていることを特徴とする請求項７に記載の遊技機。
【請求項９】
前記球受け皿として、遊技球の貯留及び排出が可能な第１球受け皿と、
前記第１球受け皿にて余剰となった遊技球を貯留する第２球受け皿を備え、
遊技に使用する遊技球を前記第１球受け皿から取り込む遊技機であって、
前記排出操作手段に対して前記排出操作が行われることにより、前記第２球受け皿に貯留されている遊技球が排出されることを特徴とする請求項１乃至８のいずれか１に記載の遊技機。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
電力供給に伴い特定の色で発光されるとともに電流の大きさによって当該発光強度が変化する発光手段を複数有し、該複数の発光手段により発光される複数の色が混合された混合色を発光色として視認可能とする発光ユニットと、
前記複数の発光手段に対する電力の供給が可能な電力供給手段と、
前記電力供給手段から供給される電力に基づいて、前記複数の発光手段に流れるそれぞれの電流の大きさを個別に制御する電流制御手段と
を備えたことを特徴とする遊技機。
【請求項２】
前記発光手段と電気的に接続されて前記電力供給手段からの電力供給が可能な電気経路が、前記発光手段毎に複数設けられるとともに、
前記発光手段毎の複数の電気経路について、所定の電気経路に電力が供給された場合に該所定の電気経路に流れる電流を、同一の発光手段に接続されている他の電気経路に流れる電流とは異なる大きさの電流に調節する調節手段が設けられ、
前記電流制御手段は、前記複数の電気経路のうち前記電力供給手段から電力供給される電気経路を前記複数の発光手段に対して個別に切り替えることを特徴とする請求項１に記載の遊技機。
【請求項３】
前記調節手段は、前記発光手段と電気的に直列に接続され、該調節手段に流れる電流の大きさを調節するものであることを特徴とする請求項２に記載の遊技機。
【請求項４】
前記調節手段は、供給される電力と自身の電気抵抗とにより規定される電流を流す抵抗体であることを特徴とする請求項３に記載の遊技機。
【請求項５】
前記調節手段は、供給される電力の大きさにかかわらず特定の大きさの電流を流す定電流手段であることを特徴とする請求項３に記載の遊技機。
【請求項６】
前記調節手段は、前記複数の電気経路のそれぞれに設けられていることを特徴とする請求項２乃至５のいずれかに記載の遊技機。
【請求項７】
前記電流制御手段は、前記複数の電気経路に対する電力供給又は停止を個別に行うものであることを特徴とする請求項２乃至６のいずれかに記載の遊技機。
【請求項８】
前記発光手段毎の複数の電気経路について、所定の電気経路に電力が供給された場合には、同一の発光手段に接続されている他の電気経路に電力が供給された場合と比べて、前記発光手段の発光強度が半分程度となるように、前記調整手段が設定されていることを特徴とする請求項２乃至７のいずれかに記載の遊技機。
【請求項９】
前記発光手段毎の複数の電気経路は電気的に並列に接続されていることを特徴とする請求項２乃至８のいずれかに記載の遊技機。
【請求項１０】
前記複数の発光手段として、
赤色で発光される赤色発光手段と、
緑色で発光される緑色発光手段と、
青色で発光される青色発光手段と
を備えたことを特徴とする請求項１乃至９のいずれかに記載の遊技機。
【請求項１１】
前記発光手段はＬＥＤであることを特徴とする請求項１乃至１０のいずれかに記載の遊技機。
【手続補正書】
【提出日】平成22年8月4日(2010.8.4)
【手続補正１】
【補正対象書類名】特許請求の範囲
【補正対象項目名】請求項１
【補正方法】変更
【補正の内容】
【請求項１】
遊技結果に応じて遊技球を払い出す払出手段と、
前記払出手段から払い出された遊技球を排出可能な状態で貯留する球受け皿と、
前記遊技球を前記球受け皿に案内する案内通路と、
前記案内通路における遊技球が流れ落ちる状態を検出する流下状態検出手段と、
遊技状況に応じた特定演出を表示することが可能な表示手段と、
前記流下状態検出手段により検出された遊技球の流下状態が特定状態ではない場合に、前記表示手段における前記特定演出の表示を可能とし、前記流下状態が前記特定状態である場合に、前記表示手段における前記特定演出の表示を行わないように、演出表示制御を行う表示制御手段と
を備えたことを特徴とする遊技機。
【手続補正２】
【補正対象書類名】特許請求の範囲
【補正対象項目名】請求項７
【補正方法】変更
【補正の内容】
【請求項７】
前記流下状態が前記特定状態ではない場合に前記表示手段に前記特定演出を表示させるべく遊技者により表示操作が行われる表示操作手段を備え、
前記表示制御手段は、前記表示操作手段に対する前記表示操作が行われた場合に前記演出表示制御を行うことを特徴とする請求項１乃至６のいずれか１に記載の遊技機。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
電力供給に伴い特定の色で発光されるとともに電流の大きさによって当該発光強度が変化する発光手段を複数有し、該複数の発光手段により発光される複数の色が混合された混合色を発光色として視認可能とする発光ユニットと、
前記複数の発光手段に対する電力の供給が可能な電力供給手段と、
前記電力供給手段から供給される電力に基づいて前記複数の発光手段に流れるそれぞれの電流の大きさを個別に制御する電流制御手段と、
前記複数の発光手段に流れる電流の大きさを一括で切り替える一括切替手段と
を備えたことを特徴とする遊技機。
【請求項２】
前記電力供給手段からの電力供給が可能であり、かつ前記複数の発光手段に共通の電力供給経路が複数設けられるとともに、
前記複数の電力供給経路について、所定の電力供給経路に電力が供給された場合に、他の電力供給経路を介して前記複数の発光手段に流れる電流とは異なる大きさの電流が前記複数の発光手段に供給されるように調節する供給調節手段が設けられ、
前記一括切替手段は、前記複数の電力供給経路のうち前記電力供給手段から電力供給される電力供給経路を切り替えることを特徴とする請求項１に記載の遊技機。
【請求項３】
前記供給調節手段は、前記電力供給経路に流れる電流の大きさを調節することを特徴とする請求項２に記載の遊技機。
【請求項４】
前記複数の電力供給経路には、前記供給調節手段が設けられていない電力供給経路が備えられていることを特徴とする請求項２又は３のいずれかに記載の遊技機。
【請求項５】
前記複数の電力供給経路は電気的に並列に接続されていることを特徴とする請求項２乃至４のいずれかに記載の遊技機。
【請求項６】
前記供給調節手段は、前記所定の電力供給経路に電力が供給された場合に、他の電力供給経路にて生じる電圧降下とは異なる大きさの電圧降下を生じさせる電圧降下手段であることを特徴とする請求項２乃至５のいずれかに記載の遊技機。
【請求項７】
前記供給調節手段は、流れる電流の大きさにかかわらず特定の大きさの電圧降下を生じさせることを特徴とする請求項２乃至６のいずれかに記載の遊技機。
【請求項８】
前記電流制御手段には、
前記電力供給経路と電気的に接続され、前記電力供給手段から前記複数の発光手段に供給される電力を一括で受ける一括受電手段が複数設けられるとともに、
前記発光手段と電気的に接続され、前記一括受電手段に電力が供給された場合に前記発光手段に対して個別に電力を供給する個別供給手段が前記発光手段毎に設けられ、
前記電流制御手段は、前記複数の一括受電手段について、所定の一括受電手段に電力が供給された場合に、他の一括受電手段に電力が供給された場合とは異なる大きさの電圧を前記複数の個別供給手段のそれぞれに印加することを特徴とする請求項２乃至７のいずれかに記載の遊技機。
【請求項９】
遊技機外部からの切り替え操作が可能な操作手段を備え、
前記一括切替手段は、前記操作手段に対する切り替え操作に伴って、前記複数の発光手段に流れる電流の大きさを一括で切り替えることを特徴とする請求項１乃至８のいずれかに記載の遊技機。
【請求項１０】
取付対象に対して開閉可能に取り付けられた遊技機本体を備え、
前記操作手段は、前記遊技機本体が前記取付対象に対して開放された場合に操作可能となるように該遊技機本体に設けられていることを特徴とする請求項９に記載の遊技機。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
電力供給に伴い特定の色で発光されるとともに電流の大きさによって当該発光強度が変化する発光手段を複数有し、該複数の発光手段により発光される複数の色が混合された混合色を発光色として視認可能とする発光ユニットと、
前記複数の発光手段に対する電力の供給が可能な電力供給手段と、
前記各発光手段における、前記電力の変動に基づき変化する各電流の変化率を同等化する同等化手段と
を備えたことを特徴とする遊技機。
【請求項２】
前記電力供給手段からの電力供給が可能であり、前記発光手段に流れる電流を、該電力供給に伴って印加される電圧に基づいて調節する電流調節手段が前記発光手段毎に設けられ、
前記同等化手段は、前記電流調節手段に印加される電圧を調節することを特徴とする請求項１に記載の遊技機。
【請求項３】
前記同等化手段はダイオードであり、順方向に電圧が印加されるように前記電流調節手段と電気的に直列に接続されていることを特徴とする請求項２に記載の遊技機。
【請求項４】
前記各発光手段は、前記電力供給手段から電力が供給された場合に、それぞれの特性に応じた電圧降下を伴いながら発光され、
前記電流調節手段は、前記発光手段と電気的に直列に接続され、
前記同等化手段は、前記複数の発光手段のうち他の発光手段に比べて前記電圧降下が小さい発光手段と電気的に直列に接続され、電力が供給された場合にそれら発光手段間の電圧降下の差分に相当する電圧降下が発生されることを特徴とする請求項３に記載の遊技機。
【請求項５】
前記電流調節手段は前記発光手段毎に複数接続されており、所定の電流調節手段に電力が供給された場合に前記発光手段に流れる電流は、同一の発光手段に接続されている他の電流調節手段に電力が供給された場合とは異なる大きさに調節され、
前記同等化手段は、前記発光手段毎の複数の電流調節手段に対して共通で設けられていることを特徴とする請求項４に記載の遊技機。
【請求項６】
前記複数の発光手段として、
赤色で発光される赤色ＬＥＤと、
緑色で発光される緑色ＬＥＤと、
青色で発光される青色ＬＥＤと
を備え、
前記同等化手段は前記赤色ＬＥＤに接続されていることを特徴とする請求項４又は５に記載の遊技機。
【請求項７】
前記電力供給手段からの電力供給が可能であり、かつ前記複数の発光手段に共通の電力供給経路が複数設けられるとともに、
前記複数の電力供給経路について、所定の電力供給経路に電力が供給された場合に、他の電力供給経路を介して前記複数の発光手段に流れる電流とは異なる大きさの電流が前記複数の発光手段に供給されるように調節する供給調節手段が設けられ、
前記一括切替手段は、前記複数の電力供給経路のうち前記電力供給手段から電力供給される電力供給経路を切り替えることを特徴とする請求項１乃至６のいずれか１に記載の遊技機。
【請求項８】
遊技機外部からの切り替え操作が可能な操作手段を備え、
前記一括切替手段は、前記操作手段に対する切り替え操作に伴って、前記複数の発光手段に流れる電流の大きさを一括で切り替えることを特徴とする請求項７に記載の遊技機。
【請求項９】
電力供給に伴い特定の色で発光されるとともに電流の大きさによって当該発光強度が変化する発光手段を複数有し、該複数の発光手段により発光される複数の色が混合された混合色を発光色として視認可能とする発光ユニットと、
前記複数の発光手段に対する電力の供給が可能な電力供給手段と
を備え、
前記発光手段と電気的に接続され、電力供給に伴って印加される電圧に応じた電流が流れる電気経路が前記複数の発光手段毎に設けられているとともに、
前記複数の電気経路に印加される各電圧の差分を補償する補償手段が、該補償の対象となる電気経路に対応して設けられていることを特徴とする遊技機。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
記録媒体に対して記録を行う記録ヘッドと、
光を投光する投光部と、光を受光する受光部とからなり、前記投光部から投光された光の反射を前記受光部で検出する光学センサと、
前記光学センサと前記ヘッドを搭載し主走査方向に移動するキャリッジと、
前記記録媒体を支持し、前記光学センサの検出範囲において前記記録媒体と重複せず前記記録媒体とキャリッジの移動端との間に配置されるマーカ個所と、前記光学センサにおける検出結果が前記マーカ個所における検出結果とは異なる非マーカ個所からなる媒体支持部と、
を有し、
前記光学センサが前記記録媒体における反射を検出後、前記非マーカ個所における反射を検出し、さらに、前記マーカ個所における反射を検出した場合には減速することを特徴するプリンタ。
【請求項２】
前記マーカ個所における前記光学センサの検出結果は、前記記録媒体における前記光学センサの検出結果と等しいことを特徴する請求項１に記載のプリンタ。
【請求項３】
前記キャリッジの移動端から前記記録媒体側に所定距離離れたキャリッジ動作と基準となる初期位置と前記記録媒体との間に前記マーカ個所を配置することを特徴する請求項１に記載のプリンタ。
【請求項４】
記録媒体に対して記録を行う記録ヘッドと、
光を投光する投光部と、光を受光する受光部とからなり、前記投光部から投光された光の反射を前記受光部で検出する光学センサと、
前記光学センサと前記ヘッドを搭載し主走査方向に移動するキャリッジと、
前記記録媒体を支持し、前記光学センサの検出範囲において前記記録媒体と重複せず前記記録媒体とキャリッジの移動端との間に配置されるマーカ個所と、前記光学センサにおける検出結果が前記マーカ個所における検出結果とは異なる非マーカ個所からなる媒体支持部と、
を有し、
前記光学センサが前記記録媒体における反射を検出後、前記非マーカ個所における反射を検出し、さらに、前記マーカ個所における反射を検出した場合には減速とすることを特徴とするプリンタの記録ヘッドの移動制御方法。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
複数の印刷媒体検出センサにより印刷媒体のセット状態を検出する印刷装置において、
所定タイミングで前記印刷媒体検出センサが印刷媒体ありを検出した第１の検出個数と、
前記所定タイミングから所定時間経過後に前記印刷媒体検出センサが印刷媒体有りを検出した第２の検出個数に基づき、前記印刷媒体のスキュー判定を行うスキュー判定手段を設けたことを特徴とする印刷装置。
【請求項２】
前記スキュー判定手段は、前記第２の検出個数が、１個以上で前記第１の検出個数以下であって、前記第１の検出個数が所定の個数以上であったときは、前記印刷媒体のスキューなしと判定するようにしたことを特徴とする請求項１記載の印刷装置。
【請求項３】
前記スキュー判定手段は、前記第２の検出個数が、１個の場合であって、前記第１の検出個数が２個以上であったときは、前記印刷媒体のスキューなしと判定するようにしたことを特徴とする請求項１記載の印刷装置。
【請求項４】
前記印刷媒体検出センサの印刷媒体ありを検出した検出結果を格納しておき、当該検出結果が最大となる位置の前後に同一の検出結果が存在するか否かに基づき印刷媒体の抜取りがあったことを判定する抜取り判定手段を設けたことを特徴とする請求項１ないし請求項３いずれか記載の印刷装置。
【請求項５】
前記所定タイミングで印刷媒体検出センサの変化を検出した第１の検出結果と、前記所定タイミングから所定時間経過後の印刷媒体検出センサの第２の検出結果の論理和に基づき、ヘッドセンタリングの基準位置を補正する第１のヘッドセンタリング基準位置補正手段を設けたことを特徴とする請求項１ないし請求項４いずれか記載の印刷装置。
【請求項６】
前記第２の検出個数が１個の場合であって、当該印刷媒体検出センサが、印刷媒体セット可能範囲の中央より一方の側の領域にある印刷媒体検出センサの場合は、当該印刷媒体検出センサの位置から略印刷媒体幅分、反対方向に位置する印刷媒体検出センサの位置をヘッドセンタリングの基準位置とするように補正する第２のヘッドセンタリング基準位置補正部を設けたことを特徴とする請求項１ないし請求項４いずれか記載の印刷装置。
【手続補正２】
【補正対象書類名】明細書
【補正対象項目名】００１４
【補正方法】変更
【補正の内容】
【００１４】
本発明は、前述の課題を解決するため次の構成を採用する。すなわち、複数の印刷媒体検出センサにより印刷媒体のセット状態を検出する印刷装置において、所定タイミングで前記印刷媒体検出センサが印刷媒体ありを検出した第１の検出個数と、前記所定タイミングから所定時間経過後に前記印刷媒体検出センサが印刷媒体有りを検出した第２の検出個数に基づき、前記印刷媒体のスキュー判定を行うスキュー判定手段を設けた。
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
操作手段を介して受付けた印刷設定に従ってジョブを実行する印刷装置であって、
ジョブの印刷動作を中止するための中止指示を前記操作手段を介して受付ける受付手段と、
前記受付手段により前記中止指示を受付けたことに従って、前記印刷動作が中止されるジョブの印刷設定が反映された設定画面を表示手段に表示させる制御手段とを有することを特徴とする印刷装置。
【請求項２】
前記操作手段を介して所定時間操作を受付けなかった場合に、前記表示手段にデフォルト画面を表示させる表示制御手段をさらに有し、
前記制御手段は、前記受付手段により前記中止指示を受付けた場合に、前記印刷動作が中止されるジョブの印刷設定を反映した設定画面を表示手段に表示させ、当該印刷設定が反映された設定画面を前記所定時間が経過しても前記表示手段に表示させることを特徴とする請求項１に記載の印刷装置。
【請求項３】
前記制御手段は、
前記表示手段により表示される設定画面が、前記印刷動作が中止されるジョブの印刷設定を反映した設定画面、または、前記デフォルト画面のいずれであるかをユーザによって識別可能な状態で表示させることを特徴とする請求項１又は２に記載の印刷装置。  
【請求項４】
前記制御手段は、前記印刷動作が中止されたジョブの履歴情報に当該ジョブの印刷設定を関連付けて記憶手段に記憶させることを特徴とする請求項１乃至３のいずれか１項に記載の印刷装置。
【請求項５】
前記制御手段は、前記印刷動作が中止されたジョブの履歴情報に関連付けて当該ジョブの印刷設定及び当該ジョブの印刷データを記憶手段に記憶させることを特徴とする請求項１乃至３のいずれか１項に記載の印刷装置。
【請求項６】
前記制御手段は、前記記憶手段に記憶されるジョブの履歴情報及び当該ジョブの印刷設定を、ユーザごとに記憶させることを特徴とする請求項４又は５に記載の印刷装置。
【請求項７】
前記制御手段は、前記記憶手段に記憶された印刷設定を反映した設定画面を、前記操作手段を介したユーザからの指示によって、前記表示手段により表示させることを特徴とする請求項４乃至６のいずれか１項に記載の印刷装置。
【請求項８】
前記記憶手段に保持された印刷設定及び印刷データに従って、当該印刷データの印刷を実行する印刷制御手段をさらに有することを特徴とする請求項５に記載の印刷装置。  
【請求項９】
操作手段を介して受付けた印刷設定に従ってジョブを実行する印刷装置の制御方法であって、
ジョブの印刷動作を中止するための中止指示を前記操作手段を介して受付け、
前記中止指示を受付けた場合に、前記印刷動作が中止されるジョブの印刷設定を反映した設定画面を表示手段に表示させることを特徴とする印刷装置の制御方法。
【請求項１０】
請求項９に記載の印刷装置の制御方法を、前記印刷装置のコンピュータに実行させるためのコンピュータプログラム。
【手続補正２】
【補正対象書類名】明細書
【補正対象項目名】発明の名称
【補正方法】変更
【補正の内容】
【発明の名称】印刷装置及びその制御方法、並びにコンピュータプログラム
【手続補正３】
【補正対象書類名】明細書
【補正対象項目名】０００１
【補正方法】変更
【補正の内容】
【０００１】
本発明は、ユーザからの指示に基づいて印刷ジョブの実行を中止可能な印刷装置及びその制御方法、並びに前記印刷装置の制御方法を実現するためのコンピュータプログラムに関する。
【手続補正４】
【補正対象書類名】明細書
【補正対象項目名】０００６
【補正方法】変更
【補正の内容】
【０００６】
本発明は上記課題に鑑み、次のような、印刷装置及びその制御方法、並びにコンピュータプログラムを提供することを目的とする。即ち、印刷設定がなされた状態の印刷動作を中止した場合に、印刷動作が中止された印刷ジョブの印刷設定をユーザからの指示に従った方法で使用可能にし、オペレーションの効率化を図る。
【手続補正５】
【補正対象書類名】明細書
【補正対象項目名】０００７
【補正方法】変更
【補正の内容】
【０００７】
本発明は上記目的を達成するため、操作手段を介して受付けた印刷設定に従ってジョブを実行する印刷装置であって、ジョブの印刷動作を中止するための中止指示を前記操作手段を介して受付ける受付手段と、前記受付手段により前記中止指示を受付けたことに従って、前記印刷動作が中止されるジョブの印刷設定が反映された設定画面を表示手段に表示させる制御手段とを有することを特徴とする。
【手続補正６】
【補正対象書類名】明細書
【補正対象項目名】００７５
【補正方法】変更
【補正の内容】
【００７５】
以上のような制御により、ユーザは、実行中の印刷ジョブを中止する際に、中止対象の印刷ジョブに対してなされていた印刷設定をＨＤＤ２０９に記憶するか否かを選択することができる。ＨＤＤ２０９に記憶するように指示された場合に、ユーザは、ＨＤＤ２０９に記憶された、中止対象の印刷ジョブに対してなされていた印刷設定を反映した画面を所望のタイミングでタッチパネル部４０１に表示させることができる。そして、ユーザは、その印刷設定が反映された画面の印刷設定に基づいて、印刷データだけを再入力すれば良いので、再設定の手間を省くことができる。
【手続補正書】
【提出日】平成22年5月20日(2010.5.20)
【手続補正１】
【補正対象書類名】明細書
【補正対象項目名】００３８
【補正方法】変更
【補正の内容】
【００３８】
続いて、本発明の第１実施形態に係る立型マシニングセンタ１の動作について、主として図５を参照しながら説明する。図５は、本発明の実施形態に係る立型マシニングセンタの動作を説明するための平面図であり、（ａ）はマガジンが後退した状態を示し、（ｂ）はマガジンが前進した状態を示し、（ｃ）は（ｂ）の状態からさらにマガジンを回動させて工具を選択した状態を示す。
【手続補正２】
【補正対象書類名】図面
【補正対象項目名】図１
【補正方法】変更
【補正の内容】
【図１】
2009039786.tif 000001
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
回転駆動される駆動ローラと、当該駆動ローラに接して従動回転する従動ローラとによってニップ可能なプレート形状を成すトレイ本体と、
前記トレイ本体に形成された、薄板状体をセット可能な凹部と、
前記薄板状体に形成された嵌合穴に対応する、前記凹部に設けられた凸部と、
前記凸部の外縁に沿って複数設けられ、前記嵌合穴の内縁に弾性的に接触することにより、前記薄板状体を保持する弾性片と、を備え、
前記凸部の上面には、前記駆動ローラ及び前記従動ローラによる前記トレイ本体の送り方向と直交する方向に向かって下がる逃げ面が形成されている、
ことを特徴とするトレイ。
【請求項２】
請求項１に記載のトレイにおいて、前記複数の弾性片のうち前記薄板状体を保持する少なくとも一組の弾性片が、前記逃げ面を避けた位置に配置されている、
ことを特徴とするトレイ。
【請求項３】
請求項２に記載のトレイにおいて、前記凸部は、平面視において円形状を成しており、
前記複数の弾性片は、前記凸部の中心を通る直線上において前記中心を挟んで配置された１組の弾性片を２組備えて構成されるとともに、うち１組が、前記逃げ面を避けた位置に配置されている、
ことを特徴とするトレイ。
【請求項４】
請求項２に記載のトレイにおいて、前記複数の弾性片の全てが、前記逃げ面を避けた位置に配置されている、
ことを特徴とするトレイ。
【請求項５】
請求項１から４のいずれか１項に記載のトレイにおいて、前記弾性片が、前記トレイ本体部を切り欠いて形成されることにより、前記トレイ本体部に一体的に形成され、
前記薄板状体の非セット状態において、前記弾性片のうら側が、前記トレイ本体部のうら面から退避している、
ことを特徴とするトレイ。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
情報処理装置から受信した印刷ジョブの印刷処理中に前記印刷ジョブの印刷物を確認するための指示に従って前記印刷ジョブに含まれるページから確認対象ページを決定する決定手段と、
前記決定手段によって決定された確認対象ページの印刷に使用される用紙が特定の用紙である場合、前記決定手段により決定された前記確認対象ページを前記特定の用紙を使用しない他のページに変更する変更手段とを有し、
前記特定の用紙とは、複数の用紙で１セットを構成する用紙であることを特徴とする画像形成装置。
【請求項２】
前記印刷物を確認するための印刷の処理内容を入力する入力手段と、前記入力手段によって前記特定の用紙とは異なる用紙を用いて印刷することが入力され、かつ、前記決定手段により決定された確認対象ページより後のページに前記特定の用紙を使用しないページがない場合、前記決定手段によって決定された確認対象ページを前記特定の用紙とは異なる用紙を用いて印刷する印刷制御手段とを更に備えることを特徴とする請求項１に記載の画像形成装置。
【請求項３】
前記特定の用紙に印刷すべくシフトして印刷する設定情報が前記確認対象ページに対して設定されている場合、前記印刷制御手段は、前記設定情報に基づくシフト処理を実行することなく前記確認対象ページを前記特定の用紙とは異なる用紙に印刷することを特徴とする請求項２に記載の画像形成装置。
【請求項４】
前記特定の用紙とは、タブ紙であることを特徴とする請求項１乃至３のいずれか１項に記載の画像形成装置。
【請求項５】
情報処理装置から受信した印刷ジョブの印刷処理中に前記印刷ジョブの印刷物を確認するための指示に従って前記印刷ジョブに含まれるページから確認対象ページを決定する決定工程と、
前記決定工程によって決定された確認対象ページの印刷に使用される用紙が特定の用紙である場合、前記決定工程により決定された前記確認対象ページを前記特定の用紙を使用しない他のページに変更する変更工程とを有し、
前記特定の用紙とは、複数の用紙で１セットを構成する用紙であることを特徴とする制御方法。
【請求項６】
前記印刷物を確認するための印刷の処理内容を入力する入力工程と、前記入力工程によって前記特定の用紙とは異なる用紙を用いて印刷することが入力され、かつ、前記決定工程により決定された確認対象ページより後のページに前記特定の用紙を使用しないページがない場合、前記決定工程によって決定された確認対象ページを前記特定の用紙とは異なる用紙を用いて印刷する印刷制御工程とを更に備えることを特徴とする請求項５に記載の制御方法。
【請求項７】
前記特定の用紙に印刷すべくシフトして印刷する設定情報が前記確認対象ページに対して設定されている場合、前記印刷制御工程は、前記設定情報に基づくシフト処理を実行することなく前記確認対象ページを前記特定の用紙とは異なる用紙に印刷することを特徴とする請求項６に記載の制御方法。
【請求項８】
前記特定の用紙とは、タブ紙であることを特徴とする請求項５乃至７のいずれか１項に記載の制御方法。
【請求項９】
情報処理装置から受信した印刷ジョブの印刷処理中に前記印刷ジョブの印刷物を確認するための指示に従って前記印刷ジョブに含まれるページから確認対象ページを決定する決定工程と、
前記決定工程によって決定された確認対象ページの印刷に使用される用紙が特定の用紙である場合、前記決定工程により決定された前記確認対象ページを前記特定の用紙を使用しない他のページに変更する変更工程とを有し、
前記特定の用紙とは、複数の用紙で１セットを構成する用紙であることを特徴とするコンピュータに読み取り可能な制御プログラム。
【請求項１０】
前記印刷物を確認するための印刷の処理内容を入力する入力工程と、前記入力工程によって前記特定の用紙とは異なる用紙を用いて印刷することが入力され、かつ、前記決定工程により決定された確認対象ページより後のページに前記特定の用紙を使用しないページがない場合、前記決定工程によって決定された確認対象ページを前記特定の用紙とは異なる用紙を用いて印刷する印刷制御工程とを更に備えることを特徴とする請求項９に記載の制御プログラム。
【請求項１１】
前記特定の用紙に印刷すべくシフトして印刷する設定情報が前記確認対象ページに対して設定されている場合、前記印刷制御工程は、前記設定情報に基づくシフト処理を実行することなく前記確認対象ページを前記特定の用紙とは異なる用紙に印刷することを特徴とする請求項１０に記載の制御プログラム。
【請求項１２】
前記特定の用紙とは、タブ紙であることを特徴とする請求項９乃至１１のいずれか１項に記載の制御プログラム。
【手続補正２】
【補正対象書類名】明細書
【補正対象項目名】００１７
【補正方法】変更
【補正の内容】
【００１７】
上記目的を達成するために、本発明は、情報処理装置から受信した印刷ジョブの印刷処理中に前記印刷ジョブの印刷物を確認するための指示に従って前記印刷ジョブに含まれるページから確認対象ページを決定する決定手段と、前記決定手段によって決定された確認対象ページの印刷に使用される用紙が特定の用紙である場合、前記決定手段により決定された前記確認対象ページを前記特定の用紙を使用しない他のページに変更する変更手段とを有し、前記特定の用紙とは、複数の用紙で１セットを構成する用紙であることを特徴とする画像形成装置。
【手続補正３】
【補正対象書類名】明細書
【補正対象項目名】００１８
【補正方法】削除
【補正の内容】